(57)【要約】【課題】液晶表示パネル８の表示領域を十分に確保するとともに、美的外観に優れる電子機器を提供する。【解決手段】時計ケース２内に、液晶表示パネル８と、この液晶表示パネル８よりも外光入射側と反対側に位置して赤外線を受光して発電する太陽電池９とを備える腕時計１００であって、液晶表示パネル８の二つの偏光部材のうち、外光入射側と反対側に設けられた偏光部材を、可視光域の全ての波長の光を反射するとともに太陽電池９が動作する赤外線を透過する反射型偏光フィルム８４とした。【選択図】図２
2006292833.tif 000002
【特許請求の範囲】
【請求項１】
少なくとも外光入射側が開口してなる機器ケースと、
この機器ケース内に配設され、第一の光透過基板とこの第一の光透過基板の前記外光入射側と反対側に配設された第二の光透過基板との間に液晶が設けられた液晶表示パネルと、
この液晶表示パネルよりも外光入射側と反対側に位置するように前記機器ケース内に配設され、特定の波長の光を受光する受光素子と、を備え、
前記液晶表示パネルは、
前記第一の光透過基板よりも外光入射側に設けられた第一の偏光部材と、前記第二の光透過基板よりも外光入射側と反対側に設けられた第二の偏光部材とを有し、
前記第二の偏光部材は、可視光の全ての波長のうちの少なくとも一部の波長の光を反射するとともに前記受光素子が動作する波長の光を透過する反射型偏光フィルムであることを特徴とする電子機器。
【請求項２】
前記液晶表示パネルと前記受光素子との間に配設された導光板と、
この導光板の外側に設けられ、前記導光板に光を照射する発光素子とを備えることを特徴とする請求項１に記載の電子機器。
【請求項３】
前記反射型偏光フィルムは、赤外線及び紫外線のうちの少なくとも何れか一方の光を透過し、
前記受光素子は、前記反射型偏光フィルムを透過した赤外線及び紫外線のうちの少なくとも何れか一方を受光して発電する太陽電池であることを特徴とする請求項１又は２に記載の電子機器。
【請求項４】
前記反射型偏光フィルムは、赤外線及び紫外線のうちの少なくとも何れか一方を透過し、
前記受光素子は、前記反射型偏光フィルムを透過した赤外線及び紫外線のうちの少なくとも何れか一方を受光して電気信号に光電変換するセンサであることを特徴とする請求項１又は２に記載の電子機器。
【請求項５】
少なくとも外光入射側が開口してなる機器ケースと、
この機器ケース内に配設された液晶表示パネルと、
この液晶表示パネルよりも外光入射側と反対側に位置するように前記機器ケース内に配設され、特定の波長の光を受光する受光素子と、
前記機器ケース内にて前記液晶表示パネルと前記受光素子との間に当該受光素子と重なるように配設され、且つ、可視光の全ての波長のうちの少なくとも一部の波長の光を反射するとともに前記受光素子が動作する波長の光を透過する光反射フィルムと、
を備えていることを特徴とする電子機器。
【請求項６】
前記液晶表示パネルと前記光反射フィルムとの間に配設された導光板と、
この導光板の外側に設けられ、前記導光板に光を照射する発光素子とを備えることを特徴とする請求項５に記載の電子機器。
【請求項７】
前記光反射フィルムは、赤外線及び紫外線のうちの少なくとも何れか一方の光を透過し、
前記受光素子は、前記反射型偏光フィルムを透過した赤外線及び紫外線のうちの少なくとも何れか一方を受光して発電する太陽電池であることを特徴とする請求項５又は６に記載の電子機器。
【請求項８】
前記光反射フィルムは、赤外線及び紫外線のうちの少なくとも何れか一方の光を透過し、
前記受光素子は、前記反射型偏光フィルムを透過した赤外線及び紫外線のうちの少なくとも何れか一方の光を受光して電気信号に光電変換するセンサであることを特徴とする請求項５又は６に記載の電子機器。
【発明の詳細な説明】
【技術分野】
【０００１】
本発明は、液晶表示パネルを備えた電子機器に関する。
【背景技術】
【０００２】
従来より、電子機器としての腕時計等には、機器ケース内に時刻等の各種の情報を表示する液晶表示パネルが設けられている。
また、これらの電子機器として、光エネルギーを電気エネルギーに変換する太陽電池を備えて、この太陽電池により発電された電力により駆動するものが知られている（例えば、特許文献１参照。）。
【特許文献１】特開平６−１８３２５号公報
【発明の開示】
【発明が解決しようとする課題】
【０００３】
ところで、上記特許文献１等の場合、太陽電池による発電をより効率良く行うためには、太陽電池の外光入射側に受光を遮る障害部が配置されないようにすることが好ましい。具体的には、太陽電池と液晶表示パネルとが外光入射側から見て重ならないように電子機器の厚さ方向に直交する方向に並設したり、機器ケースの外光入射側に表面を臨ませるように太陽電池を配設することが好ましい。
しかしながら、液晶表示パネルが太陽電池と重ならないように配設される場合、液晶表示パネルの配置が制約を受けて当該液晶表示パネルの表示領域を十分に確保することができなくなってしまうといった問題がある。また、太陽電池がその表面を機器ケースの外光入射側に臨ませるように配設されると、当該太陽電池の表面が外光入射側に露出された状態となることから、電子機器の美的外観を損ねてしてしまうといった問題が生じる虞もある。
【０００４】
そこで、本発明の課題は、液晶表示パネルの表示領域を十分に確保することができるとともに、美的外観に優れる電子機器を提供することである。
【課題を解決するための手段】
【０００５】
請求項１に記載の発明の電子機器（例えば、図１の腕時計１００等）は、
少なくとも外光入射側が開口してなる機器ケース（例えば、図２の時計ケース２等）と、
この機器ケース内に配設され、第一の光透過基板（例えば、図２の第一の光透過基板８１）とこの第一の光透過基板の前記外光入射側と反対側に配設された第二の光透過基板（例えば、図２の第二の光透過基板８２）との間に液晶が設けられた液晶表示パネル（例えば、図２の液晶表示パネル８等）と、
この液晶表示パネルよりも外光入射側と反対側に位置するように前記機器ケース内に配設され、特定の波長の光を受光する受光素子（例えば、図２の太陽電池９等）と、を備え、
前記液晶表示パネルは、
前記第一の光透過基板よりも外光入射側に設けられた第一の偏光部材（例えば、図２の上偏光板８３）と、前記第二の光透過基板よりも外光入射側と反対側に設けられた第二の偏光部材（例えば、図２の反射型偏光フィルム８４）とを有し、
前記第二の偏光部材は、可視光の全ての波長のうちの少なくとも一部の波長の光を反射するとともに前記受光素子が動作する波長の光を透過する反射型偏光フィルムであることを特徴としている。
【０００６】
請求項２に記載の発明は、請求項１に記載の電子機器において、
前記液晶表示パネルと前記受光素子との間に配設された導光板（例えば、図６の導光板１６）と、
この導光板の外側に設けられ、前記導光板に光を照射する発光素子（例えば、図６のＬＥＤ１５）とを備えることを特徴としている。
【０００７】
請求項３に記載の発明は、請求項１又は２に記載の電子機器において、
前記反射型偏光フィルムは、赤外線及び紫外線のうちの少なくとも何れか一方の光を透過し、
前記受光素子は、前記反射型偏光フィルムを透過した赤外線及び紫外線のうちの少なくとも何れか一方を受光して発電する太陽電池（例えば、図２の太陽電池９）であることを特徴としている。
【０００８】
請求項４に記載の発明は、請求項１又は２に記載の電子機器において、
前記反射型偏光フィルムは、赤外線及び紫外線のうちの少なくとも何れか一方を透過し、
前記受光素子は、前記反射型偏光フィルムを透過した赤外線及び紫外線のうちの少なくとも何れか一方を受光して電気信号に光電変換するセンサ（例えば、図１０の赤外線センサ１７等）であることを特徴としている。
【０００９】
請求項５に記載の発明の電子機器（例えば、図４の腕時計２００等）は、
少なくとも外光入射側が開口してなる機器ケース（例えば、図４の時計ケース２等）と、
この機器ケース内に配設された液晶表示パネル（例えば、図４の液晶表示パネル２０８等）と、
この液晶表示パネルよりも外光入射側と反対側に位置するように前記機器ケース内に配設され、特定の波長の光を受光する受光素子（例えば、図４の太陽電池２０９）と、
前記機器ケース内にて前記液晶表示パネルと前記受光素子との間に当該受光素子と重なるように配設され、且つ、可視光の全ての波長のうちの少なくとも一部の波長の光を反射するとともに前記受光素子が動作する波長の光を透過する光反射フィルム（例えば、図４の光反射フィルム１４）と、
を備えていることを特徴としている。
【００１０】
請求項６に記載の発明は、請求項５に記載の電子機器において、
前記液晶表示パネルと前記光反射フィルムとの間に配設された導光板（例えば、図８の導光板１６）と、
この導光板の外側に設けられ、前記導光板に光を照射する発光素子（例えば、図８のＬＥＤ１５）とを備えることを特徴としている。
【００１１】
請求項７に記載の発明は、請求項５又は６に記載の電子機器において、
前記光反射フィルムは、赤外線及び紫外線のうちの少なくとも何れか一方の光を透過し、
前記受光素子は、前記反射型偏光フィルムを透過した赤外線及び紫外線のうちの少なくとも何れか一方を受光して発電する太陽電池（例えば、図４の太陽電池２０９）であることを特徴としている。
【００１２】
請求項８に記載の発明は、請求項５又は６に記載の電子機器において、
前記光反射フィルムは、赤外線及び紫外線のうちの少なくとも何れか一方の光を透過し、
前記受光素子は、前記反射型偏光フィルムを透過した赤外線及び紫外線のうちの少なく
とも何れか一方の光を受光して電気信号に光電変換するセンサ（例えば、図１１のセンサ６１７）であることを特徴としている。
【発明の効果】
【００１３】
請求項１に記載の発明によれば、液晶表示パネルに備わる反射型偏光フィルムは、受光素子が動作する波長の光を透過するので、液晶表示パネルよりも外光入射側と反対側に受光素子を配設しても、当該受光素子による光の受光効率が低下することがなくなって、当該反射型偏光フィルムを備える液晶表示パネルの表示領域を十分に確保することができる。
また、反射型偏光フィルムは、可視光の全ての波長のうちの少なくとも一部の波長の光を反射するので、当該反射型偏光フィルムによって受光素子が機器ケースの外光入射側からは見えないこととなって、電子機器を美的外観に優れたものとすることができる。
【００１４】
請求項２に記載の発明によれば、請求項１に記載の発明と同様の効果が得られるのは無論のこと、特に、液晶表示パネルと受光素子との間に配設された導光板によって、当該導光板に対して発光素子から照射され入射された光が導光されるので、導光された光が液晶表示パネルに照射されることなって、暗所にて液晶表示パネルに表示された情報を機器ケースの外光入射側からより適正に視認することができる。
【００１５】
請求項３に記載の発明によれば、請求項１又は２に記載の発明と同様の効果が得られるのは無論のこと、特に、赤外線及び紫外線のうちの少なくとも何れか一方は、反射型偏光フィルムを透過して、透過された光が太陽電池により受光されることとなるので、当該太陽電池により発電を効率良く行うことができる。
【００１６】
請求項４に記載の発明によれば、請求項１又は２に記載の発明と同様の効果が得られるのは無論のこと、特に、赤外線及び紫外線のうちの少なくとも何れか一方は、反射型偏光フィルムを透過して、透過された光がセンサにより受光されることとなるので、当該センサによる赤外線又は紫外線の検出を効率良く行うことができる。
【００１７】
請求項５に記載の発明によれば、光反射フィルムは、受光素子により受光される波長の光を透過するので、液晶表示パネルよりも外光入射側と反対側に受光素子を配設しても、当該受光素子による光の受光効率が低下することがなくなって、当該光反射フィルムよりも外光入射側に配設される液晶表示パネルの表示領域を十分に確保することができる。
また、光反射フィルムは、可視光の全ての波長のうちの少なくとも一部の波長の光を反射するので、当該光反射フィルムによって受光素子が機器ケースの外光入射側からは見えないこととなって、電子機器を美的外観に優れたものとすることができる。
【００１８】
請求項６に記載の発明によれば、請求項５に記載の発明と同様の効果が得られるのは無論のこと、特に、液晶表示パネルと光反射フィルムとの間に配設された導光板によって、当該導光板に対して発光素子から照射され入射された光が導光されるので、導光された光が液晶表示パネルに照射されることなって、暗所にて液晶表示パネルに表示された情報を機器ケースの外光入射側からより適正に視認することができる。
【００１９】
請求項７に記載の発明によれば、請求項５又は６に記載の発明と同様の効果が得られるのは無論のこと、特に、赤外線及び紫外線のうちの少なくとも何れか一方は、光反射フィルムを透過して、透過された光が太陽電池により受光されることとなるので、当該太陽電池により発電を効率良く行うことができる。
【００２０】
請求項８に記載の発明によれば、請求項５又は６に記載の発明と同様の効果が得られるのは無論のこと、特に、赤外線及び紫外線のうちの少なくとも何れか一方は、光反射フィ
ルムを透過して、透過された光がセンサにより受光されることとなるので、当該センサによる赤外線又は紫外線の検出を効率良く行うことができる。
【発明を実施するための最良の形態】
【００２１】
以下に、本発明について、図面を用いて具体的な態様を説明する。ただし、発明の範囲は、図示例に限定されない。
【００２２】
［実施形態１］
図１は、本発明を適用した実施形態１の電子機器として例示する腕時計を示す平面図であり、図２は、図１のII−II線における要部の拡大断面図である。また、図３は、腕時計に備わる液晶表示パネルと太陽電池の配置状態を模式的に示した図である。
【００２３】
図１〜図３に示すように、実施形態１の腕時計１００には、時計計時部１を内部に収納する機器ケースとしての時計ケース２が備えられている。
時計ケース２の上部中央には時計ガラス３が装着され、また、時計ケース２の下面には、防水リング４を介して裏蓋５が取り付けられている。さらに、時計ケース２の外周部には、当該腕時計１００の各種機能の実行を指示するスイッチ６、…が設けられている。
また、図２に示すように、時計ケース２の時計計時部１を挟んだ両端部、即ち、時計ケース２の当該腕時計１００における１２時方向側及び６時方向側の端部には、バンド軸７１を介して時計バンド７が設けられている。
【００２４】
時計計時部１は、図２に示すように、デジタル表示機能を備える液晶表示パネル８が配設された上部ハウジング１Ａと、この上部ハウジング１Ａよりも外光入射側（図２における上側）と反対側（図２における下側）に配設された下部ハウジング１Ｂとを備えている。
下部ハウジング１Ｂには、太陽電池９（後述）により発電された電力が充電され、当該腕時計１００が各種動作を行うための電源として用いられる二次電池１０が配設されている。また、下部ハウジング１Ｂと上部ハウジング１Ａとの間には、液晶表示パネル８とインターコネクター１１を介して接続された回路基板１２が配置されている。
上部ハウジング１Ａには、液晶表示パネル８、赤外線透過フィルター１３、太陽電池９が外光入射側から順に配置されている。
【００２５】
太陽電池９は、例えば、一端が回路基板１２に接続されるとともに他端が当該太陽電池９に接続された導電性のコイルばね等の付勢部材９１により外光入射側に付勢された状態で配設されている。
また、太陽電池９としては、例えば、赤外線領域の波長の光を受光することにより効率良く発電する結晶系シリコン太陽電池を適用することができる。
【００２６】
赤外線透過フィルター１３は、その外光入射側と反対側の面を太陽電池９の外光入射側の面に対向させるようにして配設され、腕時計１００内に入射されて液晶表示パネル８を透過した光のうち、少なくとも赤外線を透過させるものである。
なお、赤外線透過フィルター１３は、液晶表示パネル８のデジタル表示のコントラストを向上させる上で濃い色を有するものが好ましい。
【００２７】
液晶表示パネル８は、その外光入射側と反対側の面を赤外線透過フィルター１３の外光入射側の面に対向させるようにして配設されている。
また、液晶表示パネル８は、第一の光透過基板８１とこの第一の光透過基板８１の外光入射側と反対側に配設された第二の光透過基板８２との間に液晶が設けられ、第一の光透過基板８１の外光入射側の面に配設された上偏光板（第一の偏光部材）８３と、第二の光透過基板８２の外光入射側と反対側の面に配設された反射型偏光フィルム（第二の偏光部
材）８４とを備えている。
【００２８】
第一の光透過基板８１と第二の光透過基板８２には、それぞれ透明電極（図示略）が配設され、これら透明電極は、インターコネクター１１を介して回路基板１２に接続されている。
上偏光板８３は、その透過軸方向（偏光方向）にほぼ平行する方向の振動面をもつ直線偏光を透過し、透過軸方向とほぼ直交する方向の振動面をもつ直線偏光を吸収するものである。
【００２９】
反射型偏光フィルム８４は、その透過軸方向に対してほぼ平行な振動面をもつ直線偏光を透過し、透過軸方向とほぼ直交する振動面をもつ直線偏光を反射するものである。
具体的には、反射型偏光フィルム８４は、例えば、ポリエステル系樹脂やアクリル系樹脂等からなる２種類の薄層が交互に積層され、さらに、これら複数の薄層は、透過軸方向の屈折率は等しく、且つ、透過軸方向と直交する方向の屈折率は異なるように設定されたフィルムである。
また、反射型偏光フィルム８４は、可視光域以外の波長の光であり、太陽電池９が動作する波長の光としての赤外線を透過するとともに、当該反射型偏光フィルム８４の透過軸方向とほぼ直交する振動面をもつ直線偏光のうち、可視光域（例えば、４２０〜８００［ｎｍ］）の全ての波長の光を反射するようになっている。即ち、反射型偏光フィルム８４の複数の薄層は、隣合う２種類の薄層を一組とし、各組を構成する各薄層の厚さが可視光の所定の波長（λ）の１／４となる程度に設定され、さらに、各組が可視光域の異なる波長の光に対応して構成されている。これによって、反射型偏光フィルム８４の隣合う所定の薄層どうしの境界面により、可視光域の所定の波長の光を反射することができることとなって、当該反射型偏光フィルム８４の複数の薄層全体により、例えば、可視光域の全ての波長の光を反射することができるようになっている。
【００３０】
上記構成の液晶表示パネル８は、第一の光透過基板８１及び第二の光透過基板８２の透明電極間に電圧が印加されていない状態において、反射型偏光フィルム８４にて可視光を全て反射することでその表面が鏡面のような状態となって金属感を備えさせることができ、一方、電圧を印加した状態において、可視光が反射型偏光フィルム８４を透過し赤外線透過フィルター１３にて反射されることで時刻等の各種の情報を所定の色で表示することができるようになっている。
また、液晶表示パネル８を透過した可視光以外の光のうち、紫外線は赤外線透過フィルター１３により除かれて、赤外線が当該赤外線透過フィルター１３を透過して太陽電池９に入射されることとなる。
【００３１】
以上のように、実施形態１の腕時計１００によれば、液晶表示パネル８に備わる反射型偏光フィルム８４は、太陽電池９が動作する波長の光として赤外線を透過するので、太陽電池９を液晶表示パネル８よりも外光入射側と反対側に配設しても、反射型偏光フィルム８４を透過した赤外線が太陽電池９により受光されることとなり、太陽電池９による赤外線の受光効率が低下することがなくなって、太陽電池９による発電を効率良く行うことができる。従って、反射型偏光フィルム８４を備える液晶表示パネル８の表示領域を十分に確保することができる。
また、反射型偏光フィルム８４は、可視光域の全ての波長の光を反射するので、当該腕時計１００に金属感を備えさせて高級感を向上させることができ、さらに、反射型偏光フィルム８４によって太陽電池９が時計ケース２の外光入射側からは見えないこととなって、腕時計１００を美的外観に優れたものとすることができる。
【００３２】
［実施形態２］
以下に、実施形態２の腕時計２００について図４及び図５を参照して説明する。
ここで、図４は、本発明を適用した実施形態２の電子機器として例示する腕時計２００の要部の拡大断面図であり、図５は、腕時計２００に備わる液晶表示パネル２０８と光反射フィルム１４と太陽電池２０９の配置状態を模式的に示した図である。
なお、実施形態２の腕時計２００を構成する各部のうち、上記実施形態１と同様の構成には同一の符号を付してその説明を省略する。
【００３３】
図４及び図５に示すように、実施形態２の腕時計２００は、実施形態１の腕時計１００における反射型偏光フィルム８４の代わりに下偏光板８５と光反射フィルム１４を備えている。
具体的には、液晶表示パネル２０８は、第二の光透過基板８２の外光入射側と反対側の面に、上偏光板８３とほぼ同様の構成をなす下偏光板８５が配設されている。即ち、下偏光板８５は、その透過軸方向にほぼ平行する方向の振動面をもつ直線偏光を透過し、透過軸方向とほぼ直交する方向の振動面をもつ直線偏光を吸収するものである。
また、下偏光板８５の外光入射側と反対側の面に、可視光域の全ての波長の光を反射するとともに、太陽電池２０９が動作する波長の光として、赤外線及び紫外線のうちの少なくとも何れか一方を透過する光反射フィルム１４が配設されている。
光反射フィルム１４は、例えば、反射型偏光フィルム８４と同様に、ポリエステル系樹脂やアクリル系樹脂等からなる２種類の薄層が交互に積層されてなり、複数の薄層は、隣合う２種類の薄層を一組とし、各組を構成する各薄層の厚さが可視光の所定の波長（λ）の１／４となる程度に設定され、さらに、各組が可視光域（例えば、４２０〜８００［ｎｍ］）の異なる波長の光に対応して構成されている。これにより、光反射フィルム１４は、例えば、可視光域の全ての波長の光を反射するようになっている。
【００３４】
上記構成の液晶表示パネル２０８及び光反射フィルム１４は、第一の光透過基板８１及び第二の光透過基板８２の透明電極間に電圧が印加されていない状態において、光反射フィルム１４にて可視光を全て反射することでその表面が鏡面のような状態となって金属感を備えさせることができ、一方、電圧を印加した状態において、可視光が下偏光板８５にて吸収されることで時刻等の各種の情報を表示することができるようになっている。
また、液晶表示パネル２０８及び光反射フィルム１４を透過した可視光以外の光である紫外線及び赤外線は、太陽電池２０９に入射されることとなる。
【００３５】
太陽電池２０９は、赤外線及び紫外線のうちの少なくとも何れか一方を受光して発電するものであり、具体的には、例えば、赤外線領域の波長の光を受光することにより効率良く発電する結晶系シリコン太陽電池や、紫外線領域の波長の光を受光することにより効率良く発電する、酸化亜鉛半導体と銅アルミ酸化物半導体とを接合してなる太陽電池等を適用することができる。
【００３６】
以上のように、実施形態２の腕時計２００によれば、光反射フィルム１４は、太陽電池２０９により受光される赤外線及び紫外線のうちの少なくとも何れか一方を透過するので、液晶表示パネル２０８よりも外光入射側と反対側に太陽電池２０９を配設しても、当該太陽電池２０９による赤外線及び紫外線の受光効率の低下がなくなり、当該光反射フィルム１４よりも外光入射側に配設される液晶表示パネル２０８の表示領域を十分に確保することができる。
また、光反射フィルム１４は、可視光域の全ての波長の光を反射するので、当該腕時計２００に金属感を備えさせて高級感を向上させることができ、さらに、光反射フィルム１４によって太陽電池２０９が時計ケース２の外光入射側からは見えないこととなって、腕時計２００を美的外観に優れたものとすることができる。
【００３７】
［実施形態３］
以下に、実施形態３の腕時計３００について図６及び図７を参照して説明する。
ここで、図６は、本発明を適用した実施形態３の電子機器として例示する腕時計３００の要部の拡大断面図であり、図７は、腕時計３００に備わる液晶表示パネル３０８とＬＥＤ１５と導光板１６と太陽電池９の配置状態を模式的に示した図である。
なお、実施形態３の腕時計３００は、ＬＥＤ１５、導光板１６及び光反射フィルム１４以外の点では実施形態１とほぼ同様であるので、同様の構成には同一の符号を付してその説明を省略する。
【００３８】
図６及び図７に示すように、実施形態３の腕時計３００は、液晶表示パネル３０８のバックライト用のＬＥＤ（発光素子）１５、導光板１６及び光反射フィルム１４を備えている。
【００３９】
導光板１６は、液晶表示パネル３０８と太陽電池９との間に配設され、具体的には、その外光入射側の面を赤外線透過フィルター１３の外光入射側と反対側の面に対向させるようにして配設されている。
ＬＥＤ１５は、導光板１６の側面に近接するように当該導光板１６の外側、例えば１２時方向側に設けられ、導光板１６に向けて光を照射するものである。また、ＬＥＤ１５は、一端が回路基板１２に接続されるとともに他端が当該ＬＥＤ１５に接続された導電性のコイルばね等の付勢部材１５１により外光入射側に付勢されている。
なお、ＬＥＤ１５は、例えば、所定のスイッチ６と電気的に接続されており、当該スイッチ６がユーザにより押圧操作されることで発光するようになっている。
光反射フィルム１４は、実施形態２の腕時計２００における光反射フィルム１４とほぼ同様の構成をなすものであり、導光板１６の外光入射側と反対側の面に貼設され、導光板１６内を導光される光をより効率的に液晶表示パネル３０８側へ反射させるものである。
【００４０】
上記構成により、ＬＥＤ１５から出力された光は、導光板１６に採り込まれ、採り込まれた光は導光板１６内を導光され、また、光反射フィルム１４により外光入射側に反射され、導光板１６全体あるいは所定の出力位置から出力されて液晶表示パネル３０８に照射されるようになっている。
【００４１】
なお、光反射フィルム１４の外光入射側と反対側には、外光入射側の面を対向させるようにして太陽電池９が配設されている。
【００４２】
赤外線透過フィルター１３は、少なくとも赤外線を透過させるものであり、液晶表示パネル３０８のデジタル表示のコントラストを向上させる上で濃い色を有し、且つ、可視光の透過率が例えば１０〜５０％程度であるものが好ましい。
【００４３】
従って、実施形態３の腕時計３００によれば、導光板１６に対してＬＥＤ１５から照射され入射された光が当該導光板１６によって導光されるので、導光された光が液晶表示パネル３０８に照射されることなって、暗所にて液晶表示パネル３０８に表示された情報を時計ケース２の外光入射側からより適正に視認することができる。
また、反射型偏光フィルム８４及び光反射フィルム１４は赤外線を透過するので、太陽電池９を液晶表示パネル３０８よりも外光入射側と反対側に配設しても、当該反射型偏光フィルム８４及び光反射フィルム１４を透過した赤外線が太陽電池９により受光されることとなり、太陽電池９による赤外線の受光効率が低下することがなくなって、液晶表示パネル３０８の表示領域を十分に確保することができる。さらに、液晶表示パネル３０８のデジタル表示のコントラストを向上させるために、可視光の透過率が例えば１０〜５０％程度の赤外線透過フィルター１３を用いても、太陽電池９よりも外光入射側に設けられた光反射フィルム１４によって、可視光は全て反射されることとなるので、当該腕時計３００に金属感を備えさせて高級感を向上させることができ、また、太陽電池９が時計ケース２の外光入射側からは見えないこととなって、美的外観により優れた腕時計３００を提供
することができる。
【００４４】
なお、上記実施形態１及び実施形態３の腕時計１００、３００にあっては、太陽電池９よりも外光入射側に濃い色を有する赤外線透過フィルター１３を配設するようにしたが、これに限られるものではなく、太陽電池９の外光入射側の面によりデジタル表示のコントラストが十分に得られる場合には、必ずしも赤外線透過フィルター１３を濃い色のものとする必要はない。
【００４５】
［実施形態４］
以下に、実施形態４の腕時計４００について図８及び図９を参照して説明する。
ここで、図８は、本発明を適用した実施形態４の電子機器として例示する腕時計４００の要部の拡大断面図であり、図９は、腕時計４００に備わる液晶表示パネル４０８と光反射フィルム１４とＬＥＤ１５と導光板１６と太陽電池２０９の配置状態を模式的に示した図である。
なお、実施形態４の腕時計４００は、ＬＥＤ１５及び導光板１６以外の点では実施形態２とほぼ同様であるので、同様の構成には同一の符号を付してその説明を省略する。
【００４６】
図８及び図９に示すように、実施形態４の腕時計４００は、液晶表示パネル４０８の外光入射側と反対側に、実施形態３の腕時計３００と同様に、液晶表示パネル４０８のバックライト用のＬＥＤ１５（発光素子）及び導光板１６を備えている。
即ち、導光板１６は、その外光入射側の面を下偏光板８５の外光入射側と反対側の面に対向させるように配設され、前記導光板１６の側面に近接するように当該導光板１６の外側にＬＥＤ１５が配設されている。また、導光板１６の外光入射側と反対側の面に光反射フィルム１４が貼設されている。
【００４７】
また、光反射フィルム１４の外光入射側と反対側には、外光入射側の面を対向させるようにして太陽電池２０９が配設されている。
【００４８】
従って、実施形態４の腕時計４００によれば、導光板１６に対してＬＥＤ１５から照射され入射された光が当該導光板１６によって導光されるので、導光された光が液晶表示パネル４０８に照射されることなって、暗所にて液晶表示パネル４０８に表示された情報を時計ケース２の外光入射側からより適正に視認することができる。
また、光反射フィルム１４は赤外線及び紫外線のうちの少なくとも何れか一方を透過するので、液晶表示パネル４０８よりも外光入射側と反対側に太陽電池２０９を配設しても、当該太陽電池２０９による赤外線及び紫外線の受光効率が低下することがなくなって、液晶表示パネル４０８の表示領域を十分に確保することができる。さらに、光反射フィルム１４は、可視光域の全ての波長の光を反射するので、当該腕時計４００に金属感を備えさせて高級感を向上させることができ、また、光反射フィルム１４によって太陽電池２０９が時計ケース２の外光入射側からは見えないこととなって、腕時計４００を美的外観に優れたものとすることができる。
【００４９】
［実施形態５］
以下に、実施形態５の腕時計５００について図１０を参照して説明する。
ここで、図１０は、本発明を適用した実施形態５の電子機器として例示する腕時計５００の要部の拡大断面図である。
なお、実施形態５の腕時計５００は、赤外線センサ１７以外の点では実施形態１とほぼ同様であるので、同様の構成には同一の符号を付してその説明を省略する。
【００５０】
図１０に示すように、実施形態５の腕時計５００は、受光素子として、赤外線を検出するための赤外線センサ１７を備えて構成されている。
赤外線センサ１７は、例えば、赤外線透過フィルター１３よりも外光入射側と反対側に位置するように上部ハウジング１Ａ内の所定位置（例えば、６時方向側）に配設され、回路基板１２に電気的に接続されている。また、赤外線センサ１７は、液晶表示パネル８及び赤外線透過フィルター１３を透過した赤外線を受光して電気信号に光電変換することにより、赤外線強度を検出することができる。
【００５１】
なお、下部ハウジング１Ｂには、腕時計５００が各種動作を行うための電源として用いられる電池５１０が配設されている。
【００５２】
従って、実施形態５の腕時計５００によれば、反射型偏光フィルム８４は赤外線を透過するので、赤外線センサ１７を液晶表示パネル８よりも外光入射側と反対側に配設しても、当該反射型偏光フィルム８４を透過した赤外線が赤外線センサ１７により受光されることとなり、赤外線センサ１７による赤外線の受光効率の低下がなくなり、赤外線の検出を効率良く行うことができる。これにより、反射型偏光フィルム８４を備える液晶表示パネル８の表示領域を十分に確保することができる。
また、反射型偏光フィルム８４は、可視光域の全ての波長の光を反射するので、当該腕時計５００に金属感を備えさせて高級感を向上させることができ、さらに、反射型偏光フィルム８４によって赤外線センサ１７が時計ケース２の外光入射側からは見えないこととなって、腕時計５００を美的外観に優れたものとすることができる。
【００５３】
［実施形態６］
以下に、実施形態６の腕時計６００について図１１を参照して説明する。
ここで、図１１は、本発明を適用した実施形態６の電子機器として例示する腕時計６００の要部の拡大断面図である。
なお、実施形態６の腕時計６００は、センサ６１７以外の点では実施形態２とほぼ同様であるので、同様の構成には同一の符号を付してその説明を省略する。
【００５４】
図１１に示すように、実施形態６の腕時計６００は、受光素子として、赤外線及び紫外線のうちの少なくとも何れか一方を検出するためのセンサ６１７を備えて構成されている。
【００５５】
センサ６１７は、例えば、光反射フィルム１４よりも外光入射側と反対側に位置するように上部ハウジング１Ａ内の所定位置（例えば、６時方向側）に配設され、回路基板１２に電気的に接続されている。また、センサ６１７は、液晶表示パネル２０８及び光反射フィルム１４を透過した赤外線又は紫外線を受光して電気信号に光電変換することにより、赤外線及び紫外線を検出するものである。
【００５６】
従って、実施形態６の腕時計６００によれば、光反射フィルム１４は、センサ６１７により受光される赤外線及び紫外線のうちの少なくとも何れか一方を透過するので、液晶表示パネル２０８よりも外光入射側と反対側にセンサ６１７を配設しても、当該センサ６１７による赤外線及び紫外線の受光効率の低下がなくなり、当該光反射フィルム１４よりも外光入射側に配設される液晶表示パネル２０８の表示領域を十分に確保することができる。
また、光反射フィルム１４は、可視光域の全ての波長の光を反射するので、当該腕時計６００に金属感を備えさせて高級感を向上させることができ、さらに、光反射フィルム１４によってセンサ６１７が時計ケース２の外光入射側からは見えないこととなって、腕時計６００を美的外観に優れたものとすることができる。
【００５７】
［実施形態７］
以下に、実施形態７の腕時計７００について図１２を参照して説明する。
ここで、図１２は、本発明を適用した実施形態７の電子機器として例示する腕時計７００の要部の拡大断面図である。
なお、実施形態７の腕時計７００は、赤外線センサ１７以外の点では実施形態３とほぼ同様であるので、同様の構成には同一の符号を付してその説明を省略する。
【００５８】
図１２に示すように、実施形態７の腕時計７００は、例えば、光反射フィルム１４よりも外光入射側と反対側に位置するように上部ハウジング１Ａ内の所定位置（例えば、６時方向側）に配設された赤外線センサ１７を備えている。
【００５９】
従って、実施形態７の腕時計７００によれば、ＬＥＤ１５から照射され導光板１６によって導光された光が液晶表示パネル３０８に照射されることなって、暗所にて液晶表示パネル３０８に表示された情報を時計ケース２の外光入射側からより適正に視認することができる。
また、反射型偏光フィルム８４は赤外線を透過するので、液晶表示パネル３０８よりも外光入射側と反対側に赤外線センサ１７を配設しても、当該赤外線センサ１７による赤外線の受光効率が低下することがなくなって、当該反射型偏光フィルム８４を備える液晶表示パネル３０８の表示領域を十分に確保することができる。さらに、反射型偏光フィルム８４は、可視光域の全ての波長の光を反射するので、当該腕時計７００に金属感を備えさせて高級感を向上させることができ、また、反射型偏光フィルム８４によって赤外線センサ１７が時計ケース２の外光入射側からは見えないこととなって、腕時計７００を美的外観に優れたものとすることができる。
【００６０】
なお、実施形態１、実施形態３、実施形態５及び実施形態７の腕時計１００、３００、５００、７００にあっては、太陽電池９又は赤外線センサ１７の外光入射側に赤外線透過フィルター１３を配設するようにしたが、これに限られるものではなく、例えば、赤外線透過フィルター１３の代わりに、太陽電池９や赤外線センサ１７の表面等に赤外線透過能を具備するインキ等を用いて所定形状の赤外線透過印刷物を形成しても良い。
また、受光素子としての、赤外線の受光により動作する太陽電池９及び赤外線センサ１７の代わりに、例えば、紫外線により動作する太陽電池（図示略）及び紫外線の受光により動作する紫外線センサ（図示略）を配設しても良く、かかる場合には、赤外線透過フィルター１３の代わりに紫外線透過フィルター（図示略）を設ける。
【００６１】
［実施形態８］
以下に、実施形態８の腕時計８００について図１３を参照して説明する。
ここで、図１３は、本発明を適用した実施形態８の電子機器として例示する腕時計８００の要部の拡大断面図である。
なお、実施形態８の腕時計８００は、センサ６１７以外の点では実施形態４とほぼ同様であるので、同様の構成には同一の符号を付してその説明を省略する。
【００６２】
図１３に示すように、実施形態８の腕時計８００は、例えば、光反射フィルム１４よりも外光入射側と反対側に位置するように上部ハウジング１Ａ内の所定位置（例えば、６時方向側）に配設されたセンサ６１７を備えている。
【００６３】
従って、実施形態８の腕時計８００によれば、ＬＥＤ１５から照射され導光板１６によって導光された光が液晶表示パネル４０８に照射されることなって、暗所にて液晶表示パネル８に表示された情報を時計ケース２の外光入射側からより適正に視認することができる。
また、光反射フィルム１４は赤外線及び紫外線のうちの少なくとも何れか一方を透過するので、液晶表示パネル４０８よりも外光入射側と反対側にセンサ６１７を配設しても、当該センサ６１７による赤外線及び紫外線の受光効率が低下することがなくなって、液晶
表示パネル４０８の表示領域を十分に確保することができる。さらに、光反射フィルム１４は、可視光域の全ての波長の光を反射するので、当該腕時計８００に金属感を備えさせて高級感を向上させることができ、また、光反射フィルム１４によってセンサ６１７が時計ケース２の外光入射側からは見えないこととなって、腕時計８００を美的外観に優れたものとすることができる。
【００６４】
なお、実施形態２、実施形態４、実施形態６及び実施形態８の腕時計２００、４００、６００、８００にあっては、太陽電池２０９又はセンサ６１７よりも外光入射側に赤外線又は紫外線を透過する赤外線透過フィルター１３又は紫外線透過フィルターを配設しても良く、これにより、所定のフィルターにより選択された赤外線又は紫外線がセンサ６１７により受光されることとなる。
【００６５】
［実施形態９］
以下に、実施形態９の腕時計９００について図１４及び図１５を参照して説明する。
ここで、図１４は、本発明を適用した実施形態９の電子機器として例示する腕時計９００を示す平面図であり、図１５は、図１４のＸＶ−ＸＶ線における要部の拡大断面図である。
【００６６】
図１４及び図１５に示すように、実施形態９の腕時計９００は、時計ケース９０２内にアナログ指針機構９０を備える時計計時部９０１が収納され、その時計計時部９０１の回路基板９１２に、文字板９１０の所定位置（例えば、１２時方向側の端部）を照明するためのＬＥＤ９１５が接続されている。
また、時計ケース９０２の１２時方向側の端部に形成されたバンド取付部９０２Ａには、回路基板９１２と接続線９１７ａを介して電気的に接続されたセンサ９１７が配設されている。
具体的には、バンド取付部９０２Ａには、センサ９１７を収納するためのセンサ収納部９２１が形成され、このセンサ収納部９２１の外光入射側の開口を覆うように光反射カバー部材９２２が配設されている。この光反射カバー部材９２２は、例えば、所定の樹脂に光反射フィルム１４をインサート成形することで形成されている。これにより、可視光は光反射カバー部材９２２にて反射され、可視光以外の光である赤外線や紫外線は透過してセンサ９１７に入射されるようになっている。
【００６７】
アナログ指針機構９０は、例えば、文字板９１０の軸孔からその上方に延びる指針軸９０ａと、この指針軸９０ａに取り付けられた時針、分針などの指針９０ｂと、文字板９１０の上方にて指針を指針軸を中心として運針する運針機構部９０ｃとを備えて構成されている。
【００６８】
従って、実施形態９の腕時計９００によれば、光反射カバー部材９２２は、赤外線及び紫外線のうちの少なくとも何れか一方を透過するので、センサ９１７による赤外線及び紫外線の受光効率が低下することがない。さらに、光反射カバー部材９２２は、可視光域の全ての波長の光を反射するので、当該腕時計９００に金属感を備えさせて高級感を向上させることができ、また、光反射カバー部材９２２によってセンサ９１７が時計ケース９０２の外光入射側からは見えないこととなって、腕時計９００を美的外観に優れたものとすることができる。
【００６９】
なお、本発明は、上記実施形態に限定されることなく、本発明の趣旨を逸脱しない範囲において、種々の改良並びに設計の変更を行っても良い。
例えば、上記実施形態１〜９の腕時計１００〜９００に係る反射型偏光フィルム８４及び光反射フィルム１４並びに光反射カバー部材９２２は、可視光域の全ての波長の光を反射するようにしたが、これに限られるものではなく、例えば、可視光の全ての波長のうち
の少なくとも一部の波長の光を反射することができれば良い。即ち、当該反射型偏光フィルム８４及び光反射フィルム１４並びに光反射カバー部材９２２よりも外光入射側と反対側に配設される太陽電池９、２０９、赤外線センサ１７及びセンサ６１７が、時計ケース２、９０２の外光入射側からは見えないこととすることができれば良く、これにより、腕時計１００〜９００を美的外観に優れたものとすることができる。
なお、可視光のうち、反射型偏光フィルム８４及び光反射フィルム１４並びに光反射カバー部材９２２により反射される所定の波長の光は、複数の薄層のうちの、隣合う２種類の薄層からなる各組の各々の薄層の厚さを目的とする所定の波長（λ）の１／４となる程度に設定することで調整することができる。
【００７０】
また、光反射フィルム１４として、例えば、ガラス等の所定の基材に誘電体を蒸着等により多層構造に設けたものを適用しても良い。
また、光反射カバー部材９２２はインサート成形に限らず、光反射カバー部材９２２自体に誘電体を蒸着等により多層構造に設けたものを適用しても良い。
【００７１】
また、上記実施形態では、電子機器として腕時計１００〜９００を例示したが、これに限られるものではなく、特定の波長の光を受光する受光素子を備える電子機器であれば如何なるものであっても良い。
【図面の簡単な説明】
【００７２】
【図１】本発明を適用した実施形態１の電子機器として例示する腕時計を示す平面図である。
【図２】図１のII−II線における要部の拡大断面図である。
【図３】図１の腕時計に備わる液晶表示パネルと太陽電池の配置状態を模式的に示した図である。
【図４】本発明を適用した実施形態２の電子機器として例示する腕時計の要部の拡大断面図である。
【図５】図４の腕時計に備わる液晶表示パネルと光反射フィルムと太陽電池の配置状態を模式的に示した図である。
【図６】本発明を適用した実施形態３の電子機器として例示する腕時計の要部の拡大断面図である。
【図７】図６の腕時計に備わる液晶表示パネルとＬＥＤと導光板と太陽電池の配置状態を模式的に示した図である。
【図８】本発明を適用した実施形態４の電子機器として例示する腕時計の要部の拡大断面図である。
【図９】図８の腕時計に備わる液晶表示パネルと光反射フィルムとＬＥＤと導光板と太陽電池の配置状態を模式的に示した図である。
【図１０】本発明を適用した実施形態５の電子機器として例示する腕時計の要部の拡大断面図である。
【図１１】本発明を適用した実施形態６の電子機器として例示する腕時計の要部の拡大断面図である。
【図１２】本発明を適用した実施形態７の電子機器として例示する腕時計の要部の拡大断面図である。
【図１３】本発明を適用した実施形態８の電子機器として例示する腕時計の要部の拡大断面図である。
【図１４】本発明を適用した実施形態９の電子機器として例示する腕時計を示す平面図である。
【図１５】図１４のＸＶ−ＸＶ線における要部の拡大断面図である。
【符号の説明】
【００７３】
１００、２００、３００、４００、５００、６００、７００、８００、９００  腕時計（電子機器）
２、９０２  時計ケース（機器ケース）
８、２０８、３０８、４０８  液晶表示パネル
８１      第一の光透過基板
８２      第二の光透過基板
８３      上偏光板（第一の偏光部材）
８４      反射型偏光フィルム
８５      下偏光板（第二の偏光部材）
９、２０９  太陽電池（受光素子）
１４      光反射フィルム
１５      ＬＥＤ（発光素子）
１６      導光板
１７      赤外線センサ（受光素子）
６１７、９１７  センサ（受光素子）
９２２    光反射カバー部材
【図１】
2006292833.tif 000003
【図２】
2006292833.tif 000004
【図３】
2006292833.tif 000005
【図４】
2006292833.tif 000006
【図５】
2006292833.tif 000007
【図６】
2006292833.tif 000008
【図７】
2006292833.tif 000009
【図８】
2006292833.tif 000010
【図９】
2006292833.tif 000011
【図１０】
2006292833.tif 000012
【図１１】
2006292833.tif 000013
【図１２】
2006292833.tif 000014
【図１３】
2006292833.tif 000015
【図１４】
2006292833.tif 000016
【図１５】
2006292833.tif 000017